(57)【要約】【課題】パーソナルコンピュータ等の端末に接続して使用でき、指紋センサを備え、取り扱い易いＩＣカード用リーダライタを提供する。【解決手段】本発明のＩＣカード用リーダライタ１は、ＩＳＯ７８１６規格に準拠した端子板とＵＳＢソケットを有しＩＣカード２を挿入して読み取りするＩＣカード用Ｒ／Ｗユニット１０と、ＵＳＢ受けソケットを有するユニット用台座１２とが、着脱して使用できる構造にされ、該構造によりＩＣカード用Ｒ／Ｗユニットがユニット用台座に嵌合した状態でＩＣカード用リーダライタとして使用できると共に、ユニット用台座１２を使用しないで、ＩＣカード用Ｒ／Ｗユニット単体で、ＩＣカード用Ｒ／Ｗとしても使用できるＩＣカード用リーダライタであって、ユニット用台座には、指紋センサ９と、ＵＳＢハブ装置を備える、ことを特徴とする。なお、外部装置接続用ＵＳＢ受けソケット２１をさらに備えていても良い。【選択図】    図１
2004265166.tif 000002
【特許請求の範囲】
【請求項１】
ＩＳＯ７８１６規格に準拠した端子板とＵＳＢソケットを有しＩＣカードを挿入して読み取りするＩＣカード用リーダライタユニットと、ＵＳＢ受けソケットを有するユニット用台座とが、ＵＳＢソケットとＵＳＢ受けソケット間を着脱して使用できる構造にされ、該構造によりＩＣカード用リーダライタユニットがユニット用台座に嵌合した状態でＩＣカード用リーダライタとして使用できると共に、ユニット用台座を使用しないで、ＩＣカード用リーダライタユニット単体で、ＩＣカード用リーダライタとしても使用できるＩＣカード用リーダライタであって、ユニット用台座には、指紋センサと、ＵＳＢハブ装置を備える、ことを特徴とするＩＣカード用リーダライタ。
【請求項２】
ＩＳＯ７８１６規格に準拠した端子板とＵＳＢソケットを有しＩＣカードを挿入して読み取りするＩＣカード用リーダライタユニットと、ＵＳＢ受けソケットを有するユニット用台座とが、ＵＳＢソケットとＵＳＢ受けソケット間を着脱して使用できる構造にされ、該構造によりＩＣカード用リーダライタユニットがユニット用台座に嵌合した状態でＩＣカード用リーダライタとして使用できると共に、ユニット用台座を使用しないで、ＩＣカード用リーダライタユニット単体で、ＩＣカード用リーダライタとしても使用できるＩＣカード用リーダライタであって、ユニット用台座には、指紋センサと、ＵＳＢハブ装置と、さらに外部装置接続用ＵＳＢ受けソケットと、を備える、ことを特徴とするＩＣカード用リーダライタ。
【請求項３】
ユニット用台座がＵＩＭ用リーダライタユニットをも着脱できる構造にされていることを特徴とする請求項１または請求項２記載のＩＣカード用リーダライタ。
【請求項４】
外部装置接続用ＵＳＢ受けソケットを複数個備えることを特徴とする請求項１または請求項２記載のＩＣカード用リーダライタ。
【請求項５】
ＩＣカード用リーダライタユニットに表裏識別用の凸状部を設け、ユニット用台座に当該凸状部材が差し込まれる凸状部嵌合部を設けたことを特徴とする請求項１または請求項２記載のＩＣカード用リーダライタ。
【発明の詳細な説明】
【０００１】
【発明の属する技術分野】
この発明は、ＩＣカード用リーダライタに関する。
詳しくは、パーソナルコンピュータとの接続に用いられるＩＣカード用リーダライタであって、机上での取り扱い性や操作性の向上を図ると共に、指紋センサを備え、高度のセキュリティー性を持たせたリーダライタに関する。
したがって、本発明の利用分野は、ＩＣカード用リーダライタの利用や製造分野に関する。
【０００２】
【従来技術】
ＩＣカードは携帯の利便性と多量の情報記録性、偽造や改ざんの困難性から磁気カードに代わって広範に使用されるようになってきている。また、ＩＣカードのマルチアプリケーション化も図られ、社員証やショッピング用途、ポイントカード等との兼用も行われるようになってきている。
これにより、ＩＣカードをパーソナルコンピュータ（以下、「ＰＣ」と表現する場合もある。）等の端末で使用してインターネットショッピング等がされるようになってきている。
【０００３】
一方、企業等におけるＰＣは、ネットワーク化され、一の端末であるＰＣから各種の情報にアクセスできるので、権限のない者が無断で使用する場合は、企業秘密の漏洩につながる場合がある。
そこで、このような背景から、ＩＣカードが個人のＰＣアクセス権限認証の有効な手段として用いられるようになってきている。そのため、ＰＣにＩＣカード用リーダライタを接続し、ログオン／個人認証に用いられることが多くなってきている。
【０００４】
ＰＣ用ＩＣカードリーダライタは既に公知であり、先行技術として特許文献１、特許文献２、非特許文献１、等がある。特許文献１はデスクトップ型パーソナルコンピュータに使用するＩＣメモリカードユニットを提案するが、デスクトップ側に特別なファイルスロットが必要となる問題がある。
特許文献２は、接触式ＩＣカードリーダ／ライタを搭載した携帯端末をＰＣに接続して使用することを記載しているが、机上での取り扱い性については言及していない。
非特許文献１は、後述するような実際の市販品に関するものである。
【０００５】
図６は、従来のＩＣカード用リーダライタを示す外観斜視図であって、図７は、その透視図である。
従来品のＩＣカード用リーダライタ１００は、図６のように、ＩＣカードが差し込まれるカードホルダー１０１とホルダー台座１０２とが一体に成型されたものである。
図７のように、カード挿入口１０３から挿入したＩＣカードの接触端子板は、カードホルダー１０１側のＩＳＯに準拠した端子板（８ピンのコネクタ）１４と接触するようにされている。端子板１４は、さらに、ＵＳＢコネクタ１９付きＵＳＢケーブル１８によってＰＣに接続する。
ＩＣカード用リーダライタ１００は、ＵＳＢインターフェースを内蔵し、電源はＵＳＢケーブル１８を介してＰＣから取得できる。
【０００６】
従来品のＩＣカード用リーダライタは、カードホルダー１０１とホルダー台座１０２とが一体に成型されていることから設置面積を広く必要とすることと、ＵＳＢ受けソケットを持たないので他の外部装置を接続できない問題があった。
そこで、本願発明者は、ＩＣカード用Ｒ／Ｗユニットとユニット用台座を分離して使用できるようにするとともに、他の端末装置をＩＣカード用リーダライタを介してＰＣに接続できるようにすることを研究して、特許文献３または特許文献４のような提案を行っている。
【０００７】
【特許文献１】特開平７−２９５６８２号公報
【特許文献２】特開２０００−７６３９５号公報
【特許文献３】特願２００３−０１７１５４号
【特許文献４】特願２００３−０２１０４１号
【非特許文献１】松下電器産業株式会社カタログ
「ＩＣカードリーダ／ライタ（ＺＵ９００００Ｐシリーズ）」
【０００８】
【発明が解決しようとする課題】
上述のように、従来のＩＣカード用リーダライタは、カードホルダーとホルダー台座が一体になっていて、机上で使用する場合、大きな設置スペースが必要となり、操作の邪魔になる問題がある。
また、特許文献３や特許文献４の場合は、指紋センサが無いので暗証番号等を盗用した第三者の悪意の使用を防止できない問題があった。さらにまた、近年、多用されてきているＵＩＭやＳＩＭカード（小型のＩＣカード）の読み取りができない問題もあった。
そこで、本願発明者は、特許文献３や特許文献４の提案に加えて、さらに、指紋センサを設けること、および同時に、ＵＩＭリーダライタユニットにも接続可能とすることを研究して本発明の完成に至ったものである。
【０００９】
【課題を解決するための手段】
上記課題を解決するための本発明の要旨の第１は、ＩＳＯ７８１６規格に準拠した端子板とＵＳＢソケットを有しＩＣカードを挿入して読み取りするＩＣカード用リーダライタユニットと、ＵＳＢ受けソケットを有するユニット用台座とが、ＵＳＢソケットとＵＳＢ受けソケット間を着脱して使用できる構造にされ、該構造によりＩＣカード用リーダライタユニットがユニット用台座に嵌合した状態でＩＣカード用リーダライタとして使用できると共に、ユニット用台座を使用しないで、ＩＣカード用リーダライタユニット単体で、ＩＣカード用リーダライタとしても使用できるＩＣカード用リーダライタであって、ユニット用台座には、指紋センサと、ＵＳＢハブ装置を備える、ことを特徴とするＩＣカード用リーダライタ、にある。
【００１０】
上記課題を解決するための本発明の要旨の第２は、ＩＳＯ７８１６規格に準拠した端子板とＵＳＢソケットを有しＩＣカードを挿入して読み取りするＩＣカード用リーダライタユニットと、ＵＳＢ受けソケットを有するユニット用台座とが、ＵＳＢソケットとＵＳＢ受けソケット間を着脱して使用できる構造にされ、該構造によりＩＣカード用リーダライタユニットがユニット用台座に嵌合した状態でＩＣカード用リーダライタとして使用できると共に、ユニット用台座を使用しないで、ＩＣカード用リーダライタユニット単体で、ＩＣカード用リーダライタとしても使用できるＩＣカード用リーダライタであって、ユニット用台座には、指紋センサと、ＵＳＢハブ装置と、さらに外部装置接続用ＵＳＢ受けソケットと、を備える、ことを特徴とするＩＣカード用リーダライタ、にある。
【００１１】
上記ＩＣカード用リーダライタにおいて、ユニット用台座がＵＩＭ用リーダライタユニットをも着脱できる構造にされている、ようにすることができ、外部装置接続用ＵＳＢ受けソケットを複数個備える、ようにすることもできる。
また、ＩＣカード用リーダライタユニットに表裏識別用の凸状部を設け、ユニット用台座に当該凸状部材が差し込まれる凸状部嵌合部を設ける、こともユニットの表裏を間違えることをなくす上で好ましい。
【００１２】
【発明の実施の形態】
以下、本発明のＩＣカード用リーダライタについて図面を参照して説明する。
図１は、本発明のＩＣカード用リーダライタの構成を示す斜視図、図２は、ユニット用台座を示す透視側面図、図３は、ユニット用台座を示す透視斜視図、である。図４は、ＩＣカード用Ｒ／Ｗユニットをパーソナルコンピュータに直接接続して使用する状態を示す図、図５は、ＵＩＭ用Ｒ／Ｗユニットをパーソナルコンピュータに直接接続して使用する状態を示す図、である。
【００１３】
本発明のＩＣカード用リーダライタ１は、基本的には図１のように、ＩＣカード用リーダライタ（Ｒ／Ｗ）ユニット１０とユニット用台座１２とから構成されている。
ＩＣカード２をＩＣカード用Ｒ／Ｗユニット１０に挿入し、その状態でＩＣカード用Ｒ／Ｗユニット１０のＵＳＢソケット１６が、ユニット用台座１２の受けソケットと嵌合するように受け口７内に、ＩＣカード用Ｒ／Ｗユニット１０を差し込みして使用する。
【００１４】
ＩＣカード用Ｒ／Ｗユニット１０は、ＩＣカードを縦方向にして挿入する（幅の狭い側を挿入する。）カード挿入口１３とホルダー内でＩＣカードの接触端子板２０１と接触する端子板（コネクタ部）、およびＵＳＢインターフェース等の回路板を有している。端子板はＩＳＯの規格に準拠した８ピンを有する。
回路板は必要によりＵＳＢ変換ＩＣを備え、ＵＳＢソケット１６に接続するＩＳＯコネクタ回路を有している。ＩＣカード２から読み取った信号は、ＵＳＢソケット１６を介して、ユニット用台座１２に送信される。
【００１５】
図示していないが、ＩＣカード２の接触端子板２０１とＩＣカード用Ｒ／Ｗユニット側端子板との良好な接触を確保するため、板バネ等の押圧機構等もＩＣカード用リーダライタユニット１０内に設けられている。
ユニット用台座１２は、ＩＣカード用Ｒ／Ｗユニット１０の下面側を嵌め込みできる受け口（挿入嵌部）７とＵＳＢソケット１６を嵌め込みできるＵＳＢ受けソケット１７（図２）を有していて、この両者間において電気的接続がなされる。
【００１６】
本発明の第１の特徴は、ユニット用台座１２が、指紋センサ９とＵＳＢハブ装置を備え、実施形態によっては、外部装置接続用ＵＳＢ受けソケット２１を、さらに備えていることにある。
本発明の第２の特徴は、スティック型のＵＩＭ用リーダライタ（Ｒ／Ｗ）ユニット１１をユニット用台座１２に差し込んで使用することもできる点にある。
【００１７】
ＵＩＭ用Ｒ／Ｗユニット１１を使用する場合は、図１のように、ＵＩＭサイズＩＣカード３をＵＩＭ用Ｒ／Ｗユニット１１に挿入し、さらにＵＩＭ用Ｒ／Ｗユニット１１をユニット用台座１２に差し込んで使用する。
これにより、前記のようにＵＩＭ用Ｒ／Ｗユニット１１のＵＳＢソケットとユニット用台座１２のＵＳＢ受けソケットが結合し、ＵＩＭの信号がユニット用台座１２に送信可能となる。
図示していないが、ＵＩＭ用Ｒ／Ｗユニット１１内にもＵＩＭサイズＩＣカード３の接触端子板３０１と接触する端子板や回路板が設けられている。
【００１８】
図２、図３のように、ユニット用台座１２には指紋センサ９とＵＳＢハブ装置２２が設けられている。
指紋センサ９には、静電容量型指紋センサや光学式指紋センサを好ましく使用できる。静電容量型には指先をセンサに押圧する平面型と、狭幅のセンサ面を指先で擦過するスウィープ型があるが、いずれであっても良い。
平面型は指紋表面の凹凸を電気信号として検出するセンサとして、電気信号変換センサ回路を多数敷きつめ、指先を押圧することにより指紋を読み取りするものである。スウィープ型指紋センサは、数ｍｍ幅の帯状のセンサ面を指先を擦過させることだけで、指紋の特徴を認識する。擦過速度や押圧にむらがあっても、修正機能がはたらいて正しい指紋パターンが得られる。
静電容量型の平面型指紋センサの市販品としては、富士通株式会社製の「ＭＢＦ２０００」等があり、スウィープ型指紋センサとしては、ＡＴＭＥＬ社の「ＦＣＤ４Ｂ１４」（ＦｉｎｇｅｒＣｈｉｐ）等がある。
【００１９】
ユニット用台座１２には、さらに指紋センサドライバ９ｄを有し、指紋画像処理ソフト等を備えることができる。
また、アクセス権限のある者の指紋データがＩＣカード２に蓄積されている場合は、ＩＣカードが当該蓄積データと読取りデータの照合を行って、許可する者であればアクセスを認めるようにすることもできる。このような使用方法であれば、高度の本人認証が可能となる。
【００２０】
ＵＳＢハブ装置２２は、スイッチング機能付き集線装置ともいうべきもので、ＵＳＢ受けソケット１７と外部装置接続用ＵＳＢ受けソケット２１の信号を適宜選択して、ＰＣに送信する機能を果たす。
ＵＳＢはひとつのホストコントローラ（ＰＣ）に対し、最大６分岐までのＨＵＢ（ハブ〜集線装置）を介して最大１２７台のデバイスをツリー型に接続することができる。ツリー型のため、例えば、ここではＵＳＢ受けソケット２１が受けた信号はＰＣに直行する。ＵＳＢ受けソケット１７の信号もＰＣに直行する。
【００２１】
ＵＳＢハブ装置２２は、３〜４のデバイスに接続すれば良く、大規模のものは必要ない。本発明のＩＣカード用リーダライタに使用できるような装置は、１０ｍｍ×１０ｍｍ×３ｍｍ程度のもの（例えば、日本電気株式会社製「ハブコントローラチップμＰＤ７２０１２」）が市販されていて実用可能である。
なお、図２、図３では、外部装置接続用ＵＳＢ受けソケット２１がユニット用台座１２に、１個だけ設ける例が図示されているが複数個備えるものであっても構わない。
【００２２】
ＩＣカード用リーダライタ１は、外部装置接続用ＵＳＢ受けソケット２１を備えているので、ＩＣカード２と他の装置を併用した利用方法が可能となる。
例えば、メモリストレージデバイスに接続して、ＩＣカード２，３に蓄積できない過剰のデータを当該メモリストレージデバイスに蓄積するようにすることもできる。ＩＣカード２，３がＩＣカード用リーダライタ１に挿入されている場合に限り当該メモリストレージデバイスにアクセス可能に制御することもできる。
このような使用方法により、ＩＣカード用リーダライタ１をＰＣのＵＳＢ受けソケットに接続した場合に、ＰＣの受けソケットが他のデバイスに使用できなくなっても、このユニット用台座１２の外部装置接続用ＵＳＢ受けソケット２１を利用して他のデバイスに接続できる利点が生じる。
【００２３】
ＩＣカード用Ｒ／Ｗユニット１０またはＵＩＭ用Ｒ／Ｗユニット１１は、ＵＳＢソケット１６をＰＣのＵＳＢ受けソケットに直接差し込みして単体でＩＣカード用リーダライタとして使用することもできる。
ＩＣカード用Ｒ／Ｗユニット単体でＩＣカード２を読み取りする場合は、図４または図５のように、ＩＣカード用Ｒ／Ｗユニット１０のＵＳＢソケット１６をパーソナルコンピュータ４のＵＳＢ受けソケット４１に差し込みして使用する。
この場合は、ＩＣカード用Ｒ／Ｗユニット１０の外形も小さく、ケーブルも不要なので設置スペースを最小にできる利点がある。ＵＳＢ受けソケット４１はＰＣの側面にある場合であっても良い。
【００２４】
ＵＩＭ用Ｒ／Ｗユニット１１の場合も同様であって、図５のようにＵＳＢ受けソケット４１に差し込みして単体でＵＩＭ用リーダライタとして使用することができる。
上記は、パーソナルコンピュータでの使用について説明しているが、ＵＳＢ規格に適合するデジタルカメラや携帯端末、その他の各種モバイル環境で同様に利用できることは、当業者には自明のことである。
【００２５】
図１のように、ＩＣカード用Ｒ／Ｗユニット１０に凸状部６を設け、対応するユニット用台座１２に凸状部嵌合部８を設けることが好ましい。
このような形状とすることにより、ＩＣカード用Ｒ／Ｗユニット１０をユニット用台座から分離して使用した後に、再び組み合わせて使用する際、表裏逆挿しすることがない。なお、凸状部６の形状に制限はなく、断面をコの字状にして突出させたものであってもよい。
【００２６】
ＩＣカード用Ｒ／Ｗニット１０の側面には、図１のように、端子板図形５を表示しても良い。このようにすることで、ＩＣカードの差し込み方向を間違えたり、挿し込み方向を考えて無駄に悩むようなことがなくなる。
【００２７】
ＩＣカード用Ｒ／Ｗユニット１０、ＵＩＭ用Ｒ／Ｗユニット１１、ユニット用台座１２は、ポリプロピレンやポリエチレン、ポリスチレン、塩化ビニル、ポリカーボネート、アクリル樹脂、等を射出成型し、必要な回路や端子板、指紋センサ、ハブ装置、外部装置接続用ＵＳＢ受けソケット等を組み込みして製造することができる。
【００２８】
【発明の効果】
上述のように、本発明のＩＣカード用リーダライタは、指紋センサとハブ装置、外部装置接続用ＵＳＢ受けソケットと、を有しているので、本人の指紋認証と合わせて本人認証するようなセキュリティー性の高い使用方法を採用することができる。
また、ユニット用台座１２には、ＩＣカード用リーダライタユニット１０と共に、ＵＩＭ用リーダライタユニット１１をも差し込みして使用できるので、多種類のＩＣカードを利用できる利点がある。
さらに、ＩＣカード用リーダライタユニットとユニット用台座が分割できる構造にされているので、ＩＣカード用リーダライタユニットを直接、ＰＣ等の端末に接続でき、単体での使用が可能である。
【図面の簡単な説明】
【図１】本発明のＩＣカード用リーダライタの構成を示す斜視図である。
【図２】ユニット用台座を示す透視側面図である。
【図３】ユニット用台座を示す透視斜視図である。
【図４】ＩＣカード用Ｒ／Ｗユニットをパーソナルコンピュータに直接接続して使用する状態を示す図である。
【図５】ＵＩＭ用Ｒ／Ｗユニットをパーソナルコンピュータに直接接続して使用する状態を示す図である。
【図６】従来のＩＣカード用リーダライタを示す外観斜視図である。
【図７】同透視図である。
【符号の説明】
１    ＩＣカード用リーダライタ
２    ＩＣカード
３    ＵＩＭサイズＩＣカード
４    パーソナルコンピュータ
５    端子板図形
６    凸状部
７    受け口
８    凸状部嵌合部
９    指紋センサ
９ｄ  指紋センサドライバ
１０    ＩＣカード用Ｒ／Ｗユニットイタ
１１    ＵＩＭ用Ｒ／Ｗユニット
１２    ユニット用台座
１３    カード挿入口
１４    端子板
１５    回路板
１６    ＵＳＢソケット
１７    ＵＳＢ受けソケット
１８    ＵＳＢケーブル
１９    ＵＳＢコネクタ
２１    外部装置接続用ＵＳＢ受けソケット
２２    ＵＳＢハブ装置
１００    従来のＩＣカード用リーダライタ
【図１】
2004265166.tif 000003
【図２】
2004265166.tif 000004
【図３】
2004265166.tif 000005
【図４】
2004265166.tif 000006
【図５】
2004265166.tif 000007
【図６】
2004265166.tif 000008
【図７】
2004265166.tif 000009